(57)【要約】【課題】  情報弱者等に対しても確実に緊急警報等を伝達できる情報端末装置を得る。【解決手段】  伝達信号を受信する受信手段と、受信した上記伝達信号に含まれるコード情報を検出するコード情報検出手段と、複数の音声情報及び複数の文字情報をコード情報に対応付けて予め記憶している内部データメモリと、上記伝達信号の受信に基づいて上記スピーカから着信音を出力させると共に上記発光手段を発光させる着信動作手段と、上記着信動作手段による上記着信動作の後に確認用スイッチ手段が操作されたことに基づいて、上記コード情報検出手段により検出されたコード情報に対応する音声情報及び文字情報を上記内部データメモリから読み出して、上記音声情報を上記スピーカから出力させると共に上記文字情報を上記文字情報表示手段に表示させる情報出力動作を行う情報出力手段とを設ける。【選択図】  図２
2008250798.tif 000002
【特許請求の範囲】
【請求項１】
スピーカと発光手段と文字情報表示手段を有する情報端末装置であって、
無線パケット通信網を介して送られてくる伝達信号を受信する受信手段と、
受信した上記伝達信号に含まれるコード情報を検出するコード情報検出手段と、
伝達用の複数の音声情報及び複数の文字情報をコード情報に対応付けて予め記憶している内部データメモリと、
上記伝達信号の受信に基づいて上記スピーカから着信音を出力させると共に上記発光手段を発光させる着信動作手段と、
上記着信動作手段による上記着信動作の後に確認用スイッチ手段が操作されたことに基づいて、上記コード情報検出手段により検出されたコード情報に対応する音声情報及び文字情報を上記内部データメモリから読み出して、上記音声情報を上記スピーカから出力させると共に、上記文字情報を上記文字情報表示手段に表示させる情報出力動作を行う情報出力手段とを具備することを特徴とする情報端末装置。
【請求項２】
上記内部データメモリは、音声情報又は文字情報に対応するメッセージ種別情報を予め記憶しており、
上記コード情報検出手段により検出されたコード情報に対する音声情報又は文字情報に対応するメッセージ種別情報を認識するメッセージ種別検出手段を設けると共に、
上記内部データメモリ内にメッセージ種別情報毎の着信パターンを記憶した着信パターン記憶部を設け、
上記着信動作手段は上記着信パターン記憶部を参酌することにより、メッセージ種別検出手段により検出されたメッセージ種別情報に対応する上記着信パターンにて上記スピーカ及び発光手段を動作させるものであることを特徴とする請求項１記載の情報端末装置。
【請求項３】
上記内部データメモリ内にメッセージ種別毎の優先度を予め記憶した優先度記憶部を設けると共に、
メッセージ種別の検出に基づいて上記優先度記憶部の優先度を参照し、受信した伝達信号のコード情報を上記優先度情報と共に受信データメモリに記憶する受信情報記憶手段を設けたものであることを特徴とする請求項２記載の情報端末装置。
【請求項４】
上記受信情報記憶手段は、上記確認用スイッチ手段が操作される前に伝達信号を新たに受信した場合は、新たに受信した伝達信号のコード情報を上記優先度情報と共に受信データメモリに記憶するものであることを特徴とする請求項３に記載の情報端末装置。
【請求項５】
上記情報出力手段は、上記確認用スイッチ手段の操作に基づいて、上記受信データメモリ内の伝達情報の内、優先度の高い伝達情報から順に上記情報出力動作を行うものであることを特徴とする請求項３又は４に記載の情報端末装置。
【請求項６】
上記受信情報記憶手段は、確認用スイッチ手段の操作に基づいて情報出力動作の終了した伝達情報を優先度情報と共に履歴情報記憶部に記憶するものであり、
上記情報出力手段は、履歴スイッチ手段の操作に基づいて、上記履歴情報記憶部内の優先度の高い伝達情報から順に上記情報出力動作を行うものであることを特徴とする請求項３〜５の何れかに記載の情報端末装置。
【発明の詳細な説明】
【技術分野】
【０００１】
本発明は、例えば独居老人等の情報弱者等の住居に設置することにより、自然災害の緊急時等に各種情報を確実に通報できるようにした情報端末装置に関するものである。
【背景技術】
【０００２】
従来、各戸に設置される防災用受信装置であって、装置内に文字データ記憶手段を有し、放送種別符号を含む防災放送を受信すると、当該放送種別符号に対応する文字データを上記文字データ記憶手段から読み出し、その文字データをディスプレイ等の表示手段に表示する装置が提案されている（特許文献１）。
【０００３】
また、各戸に設置される防災用受信装置であって、通報用無線信号を受信すると、各種音声情報をスピーカから出力すると共に、回転灯等の発光手段を発光させることにより、聴覚障害者等に対しても災害情報を伝達できるようにしたものもある（特許文献２）。
【０００４】
また、インターネットや携帯電話網を用いて、端末機において管理センターからの災害に関する情報を受信できるようにしたシステムが提案されている（特許文献３）。
【０００５】
【特許文献１】特開平１０−２４２８７８号公報
【特許文献２】特開２００２−１５２１２２号公報
【特許文献３】特開２００３−３０３３８５号公報
【発明の開示】
【発明が解決しようとする課題】
【０００６】
ところで、特許文献１、３等の装置では、受信した防災情報に基づいて表示手段に文字情報を表示するものであるが、情報弱者に対して確実に情報を伝達するという配慮はなされていない。
【０００７】
この点、特許文献２の装置は、発光手段を発光させることにより、聴覚障害者に対しても情報を伝達しようとするものであるが、発行手段の発光を確認することにより何らかの緊急通報である旨は理解し得るが、さらに一歩進んで、災害情報を情報弱者としての居住者に確実に伝達するという点に関しては、今一つ確実性に欠けるという課題があった。
【０００８】
本発明は、上記従来の課題に鑑みてなされたものであり、例えば災害発生時等において、情報弱者に対しても確実に各種の情報を伝達できるようにした情報端末装置を提供するものである。
【課題を解決するための手段】
【０００９】
上記の目的を達成するため本発明は、
スピーカと発光手段と文字情報表示手段を有する情報端末装置であって、無線パケット通信網を介して送られてくる伝達信号を受信する受信手段と、受信した上記伝達信号に含まれるコード情報を検出するコード情報検出手段と、伝達用の複数の音声情報及び複数の文字情報をコード情報に対応付けて予め記憶している内部データメモリと、上記伝達信号の受信に基づいて上記スピーカから着信音を出力させると共に上記発光手段を発光させる着信動作手段と、上記着信動作手段による上記着信動作の後に確認用スイッチ手段が操作されたことに基づいて、上記コード情報検出手段により検出されたコード情報に対応する音声情報及び文字情報を上記内部データメモリから読み出して、上記音声情報を上記スピーカから出力させると共に、上記文字情報を上記文字情報表示手段に表示させる情報出力動作を行う情報出力手段とを具備することを特徴とする情報端末装置により構成される。
【００１０】
上記発光手段は例えばＬＥＤ（１０）により構成することができる。文字情報表示手段は例えば液晶表示部（８）等により構成することができる。上記受信手段は例えば送受機能を有する送受信機（１４）等により構成することができる。コード情報とは伝達信号に含まれる音声コード、表示コード等の各種のコード情報をいう。伝達用の複数の音声情報とは音声コード（例えば「０１」）に対応して記憶された例えば「大雨」等の音声デジタルデータ、文字情報とは表示コード（例えば「０２」）に対応して記憶された例えば「洪水」等のテキストデータにより構成することができる。内部データメモリとは上記各情報等が予め記憶されたＲＯＭ（１８）等により構成することができる。確認用スイッチ手段とは例えば情報出力動作のためにオンされる確認スイッチ（１１）により構成することができる。このように構成すると、伝達情報の着信動作があった後、音と光で着信動作が行われるので情報弱者等に対して確実に着信を伝達することができ、さらに居住者等がそれを確認して確認用スイッチ手段を操作したことにより、音声情報及び文字情報を出力するものであるから、緊急な情報等を確実に居住者に伝達できる。
【００１１】
また、上記内部データメモリは、音声情報又は文字情報に対応するメッセージ種別情報を予め記憶しており、上記コード情報検出手段により検出されたコード情報に対する音声情報又は文字情報に対応するメッセージ種別情報を認識するメッセージ種別検出手段を設けると共に、上記内部データメモリ内にメッセージ種別情報毎の着信パターンを記憶した着信パターン記憶部を設け、上記着信動作手段は上記着信パターン記憶部を参酌することにより、メッセージ種別検出手段により検出されたメッセージ種別情報に対応する上記着信パターンにて上記スピーカ及び発光手段を動作させるものであることを特徴とする上記情報端末装置により構成される。
【００１２】
上記メッセージ種別情報は各音声情報又は文字情報に対応して記憶することもできるが、各音声情報と文字情報の各々に対応して記憶することもできる。上記着信パターン記憶部は例えばＲＯＭ（１８）内の着信テーブル（Ｔ５）により構成することができる。メッセージ種別情報とは例えば「気象情報」、「避難情報」等、受信した伝達情報の種別を示すものである。このように構成すると、着信パターンによって着信した情報が例えば「気象情報」なのか「避難情報」なのかを知ることができ、より効果的に情報を伝達することができる。
【００１３】
また、上記内部データメモリ内にメッセージ種別毎の優先度を予め記憶した優先度記憶部を設けると共に、メッセージ種別の検出に基づいて上記優先度記憶部の優先度を参照し、受信した伝達信号のコード情報を上記優先度情報と共に受信データメモリに記憶する受信情報記憶手段を設けたものであることを特徴とする上記情報端末装置により構成される。
【００１４】
上記優先度記憶部は、例えばＲＯＭ（１８）内の優先度テーブル（Ｔ６）により構成することができる。上記受信データメモリは例えばＲＡＭ（１９）により構成することができる。このように構成すると、受信した伝達情報を優先度と共に記憶することができ、情報出力時に例えば優先度の高い順に出力する等のより効果的な出力動作を行うことができる。
【００１５】
また、上記受信情報記憶手段は、上記確認用スイッチ手段が操作される前に伝達信号を新たに受信した場合は、新たに受信した伝達信号のコード情報を上記優先度情報と共に受信データメモリに記憶するものであることを特徴とする上記情報端末装置により構成される。
【００１６】
また、上記情報出力手段は、上記確認用スイッチ手段の操作に基づいて、上記受信データメモリ内の伝達情報の内、優先度の高い伝達情報から順に上記情報出力動作を行うものであることを特徴とする上記情報端末装置により構成される。
【００１７】
このように構成すると、例えば避難情報等の緊急性の高いメッセージ種別について高い優先度を設定しておくことにより、より効果的な情報伝達を行うことができる。
【００１８】
また、上記受信情報記憶手段は、確認用スイッチ手段の操作に基づいて情報出力動作の終了した伝達情報を優先度情報と共に履歴情報記憶部に記憶するものであり、上記情報出力手段は、履歴スイッチ手段の操作に基づいて、上記履歴情報記憶部内の優先度の高い伝達情報から順に上記情報出力動作を行うものであることを特徴とする上記情報端末装置により構成される。
【００１９】
上記履歴情報記憶部は例えばＲＡＭ（１９）内の履歴データテーブル（Ｔ８）により構成することができる。上記履歴スイッチ手段は例えば履歴スイッチ（１２）、スクロールスイッチ（１３）等により構成することができる。このように構成すると、履歴情報として過去の伝達情報を優先度順に効果的に確認することができる。
【発明の効果】
【００２０】
本発明によれば、音と光により着信動作が行われるため、情報弱者等においても確実に情報の着信を伝達することができるし、着信動作後の確認用スイッチ手段の操作によって伝達情報の具体的内容を音声と文字で表示するように構成しているので、例えば独居老人等の情報弱者に対しても確実かつ効果的に各種の情報を伝達することができるという効果を奏する。
【００２１】
また、受信した複数の伝達情報は受信データメモリに記憶され、記憶された伝達情報を優先度の高い順に出力することができるため、非常に効率的に情報を出力することができる。
【００２２】
また、一旦情報出力の終了した過去の伝達情報も履歴情報として記憶することができ、記憶された履歴情報（伝達情報）を優先度の高い順に出力することができるため、例えば緊急性の少ない生活に必要な各種情報の伝達装置としても非常に有効に活用することができる。
【発明を実施するための最良の形態】
【００２３】
以下、本発明に係る情報端末装置を詳細に説明する。
【００２４】
図１に本発明に係る情報端末装置１を使用したシステムの全体構成を示す。上記端末装置１は、例えば独居老人や視聴覚障害者等の情報弱者の居住する住宅に設置されるものであり、例えば携帯ラジオ程度の大きさであり、家庭内適所に容易に設置可能かつ携帯可能なものである。２は、上記端末装置１との無線通信が行われる無線パケット通信網であり、例えばＮＴＴドコモ（登録商標）の提供するＤｏＰａ（登録商標）網或はＦＯＭＡ（登録商標）網等のパケットデータの無線通信網である。この無線パケット通信網２はルータ３ａ,３ｂを介して各種の信号を上記情報端末装置１に送信する管理センター４に接続されている。また、上記無線パケット通信網２はルータ３ｃを介してインターネットサービスプロバイダ５に接続されており、当該プロバイダー５を介してインターネット６にも接続されている。尚、５’は他のインターネットサービスプロバイダであり、当該プロバイダー５’を介して例えば介護施設の端末機７等の各種の介護サービス施設、会社等がインターネット６に接続されており、当該装置１はインターネット６を介してこれらの施設等とも通信し得るように構成されている。
【００２５】
この管理センター４から上記装置１に対しては、緊急防災情報、交通情報、生活情報等が送信されるが、これら送信される情報を伝達情報、送信される信号を伝達信号という。
【００２６】
図２は、上記情報端末装置１の全体のブロック図を示す。当該装置１は、各種の文字情報を表示するための液晶表示部８、各種の音声情報を音声にて出力すると共に着信音を出力するためのスピーカ９、上記管理センター４からの伝達信号の着信及び各種の警報を光の点灯及び点滅により警報するためにＬＥＤ１０、上記伝達信号の着信に基づいて詳細情報を表示・出力させるための確認スイッチ１１、履歴情報を出力するための履歴スイッチ１２、履歴情報をスクロールするためのスクロールスイッチ１３を具備している。
【００２７】
１４は、上記無線パケット通信網２との間でデータ通信を行なうためのユビキタスモジュールとしての送受信部であり、上記無線パケット通信網２を介して上記管理センター４との間でＰＰＰ接続等（ダイヤルアップＩＰ接続等）による伝達信号の送受信を行なう送受信機能と、受信した伝達信号をシリアルデータとしてデータ変換部１５に送出する機能を有するものである。この送受信部１４としては、アンテナ内蔵の携帯通信モジュールであるＦＯＭＡ（登録商標）ユビキタスモジュール或はＤｏＰａ（登録商標）モジュールを使用して、上記ＦＯＭＡ（登録商標）網或いはＤｏＰａ（登録商標）網等を介して上記管理センター４との間でパケットデータの送受信を行うことができる。この送受信部１４はデータ通信プロトコルとしてＰＰＰを使用することにより、上位層としてＴＣＰ/ＩＰプロトコルによってテキストデータを含む各種のパケットデータ（図７（ａ）（ｂ））を送受信することができるものである。
【００２８】
ここで受信する伝達信号は上記管理センター４から送られるものであり、その信号フォーマットは、図７（ａ）に示される定型フォーマットと、図７（ｂ）に示される非定型フォーマットとがある。定型フォーマットは、図７（ａ）に示すように、音声コードと表示コードとからなる定型コード、同じく音声コードと表示コードからなる地域コード、及び発信日時データ（テキストデータ）から構成されており、例えば定型コードで「大雨注意報が出ました」という情報を伝達する場合は、音声コードは「０１、０７」（図３参照）、表示コードは「０１、０７」（図４参照）のデータとなり、地域コードで「津山中央地区」という情報を伝達する場合は、音声コードは「０１」（図５（ａ）参照）、表示コードは「０１」（図５（ｂ）参照）となる。
【００２９】
非定型フォーマットは、図７（ｂ）に示すように、音声コードと表示コードとテキストデータからなり、「大雨注意報がでました」という情報を伝達する場合は、音声コードは「０１、０７」（図３参照）、表示コードは「０１、０７」（図４参照）となり、これらに加えて発信日時等の伝達すべき任意のテキストデータを含む。尚、上記定型フォーマットからなる信号を伝達信号Ｓ１、非定型フォーマットからなる信号を伝達信号Ｓ２という。
【００３０】
１５はデータ変換部であり、上記送受信部１４から入力する伝達信号のシリアルデータをコンピュータ（ＣＰＵ２０）が処理できるパラレルなバイトデータに変換して外部バスＢを介してＣＰＵ２０に送出し、該ＣＰＵ２０からの外部バスＢを介して入力するパラレルデータをシリアルデータに変換して送受信機１４に送出するものである。このデータ変換部１５としては例えばＵＡＲＴ（汎用非同期送受信回路）を用いることができる。
【００３１】
１６はＣＰＵ２０から入力する各種音声のデジタル信号をアナログ信号に変換し増幅した上でスピーカ９に送出するＡ／Ｄ変換部、１７は各種文字情報（テキストデータ）を上記液晶表示部６（図１０（ａ），（ｂ））に表示するためのＬＣＤコントローラである。図１０（ａ）は待機状態の液晶表示部６、図１０（ｂ）は避難情報を表示した状態の液晶表示部６を示す。この液晶表示部６は上半部６ａは現在日時を常に表示しており、下半部６ｂの表示エリアに避難情報等の各種の伝達情報を表示し得るように構成している。
【００３２】
１８はＲＯＭであり、図３に示す伝達情報の音声コードテーブルＴ１、図４に示す伝達情報の表示コードテーブルＴ２、図５（ａ）に示す地域コードの音声コードテーブルＴ３、図５(ｂ)に示す地域コードの文字コードテーブルＴ４、図６に示す着信テーブルＴ５、図８に示す優先度テーブルＴ６が予め記憶されている。
【００３３】
上記伝達情報の音声コードテーブルＴ１は、図３に示すように、コード、出力内容としての音声デジタルデータ、メッセージ種別データの３種類からなる。具体的には、メッセージ種別データ「気象情報」としては、コード「０１」として音声デジタルデータ「大雨」、コード「０２」として音声デジタルデータ「洪水」、コード「０７」として音声デジタルデータ「注意報がでました」、コード「０８」として音声デジタルデータ「警報が出ました」等が記憶され、メッセージ種別データ「避難情報」としては、コード「１１」として音声デジタルデータ「河川等の増水・氾濫」、コード「１２」として音声デジタルデータ「家屋等への浸水」、コード「１６」として音声デジタルデータ「の恐れがあります」等が記憶され、メッセージ種別データ「交通情報」としては、コード「１９」として音声デジタルデータ「国道」、コード「２０」として音声デジタルデータ「県道」、コード「２４」として音声デジタルデータ「で通行止め箇所があります」、コード「２５」として音声デジタルデータ「で交通規制をしています」等が記憶されている。よって、例えばコードの組み合わせ、例えばコード「１１」と「１６」との組み合わせにより、「河川等の増水・氾濫の恐れがあります」との音声信号を合成することができる。
【００３４】
上記伝達情報の文字コードテーブルＴ２は、図４に示すようにコード、表示内容としてのテキストデータ、メッセージ種別データの３種類からなり、具体的には、メッセージ種別データ「気象情報」としては、コード「０１」としてテキストデータ「大雨」、コード「０２」としてテキストデータ「洪水」、コード「０７」としてテキストデータ「注意報がでました」、コード「０８」としてテキストデータ「警報が出ました」等が記憶され、メッセージ種別データ「避難情報」としては、コード「１１」としてテキストデータ「河川等の増水・氾濫」、コード「１２」としてテキストデータ「家屋等への浸水」、コード「１６」としてテキストデータ「の恐れがあります」等が記憶され、メッセージ種別データ「交通情報」としては、コード「１９」としてテキストデータ「国道」、コード「２０」としてテキストデータ「県道」、コード「２４」としてテキストデータ「で通行止め箇所があります」、コード「２５」としてテキストデータ「で交通規制をしています」等が記憶されている。よって、例えばコードの組み合わせ、例えばコード「０１」と「０７」との組み合わせにより、「大雨注意報が出ました」とのテキストデータを作成することができる。
【００３５】
尚、これらの情報は上記に限らず、メッセージ種別として「火災情報」、「地震情報」、それらのメッセージ種別に対応する各種の音声・文字データを上記ＲＯＭ１８に予め記憶しておくことができる。
【００３６】
上記地域コードの音声コードテーブルＴ３は、図５（ａ）に示すように、コード、出力内容としての音声デジタルデータからなる。具体的には、コード「０１」として音声デジタルデータ「津山中央地区」、コード「０２」として音声デジタルデータ「○○○○地区」等が記憶されている。また地域コードの文字コードテーブルＴ４は、図５（ｂ）に示すように、コード、表示内容としてのテキストデータからなる。具体的には、コード「０１」としてテキストデータ「津山中央地区」、コード「０２」としてテキストデータ「○○○○地区」等が記憶されている。これらの地区名データは災害等の発生地区の特定に使用される。
【００３７】
上記着信テーブルＴ５は、図６に示す情報から構成されている。即ち、同テーブルＴ５は、コード、上記メッセージ種別に対応するメッセージ種別データ、メッセージ種別データに対応する鳴動時間データ、着信音色データ、発光時間データ、発光態様データから構成されている。具体的には、メッセージ種別データ「気象情報」に対応して、着信音色データとして「ピーピーピー」という音声デジタル信号、鳴動時間データとして３０秒のデータ、発光時間データとして３０秒のデータ、発光態様データ（フラッシュ定義）として長時間断続（ゆっくりした点滅動作を行わせるためのデータ）が記憶されており、メッセージ種別データ「避難情報」に対応して、着信音色データとして「ウォーンウォーン」という音声デジタル信号、鳴動時間データとして６０秒のデータ、発光時間データとして６０秒のデータ、発光態様データとして短時間断続（短い間隔での点滅動作を行わせるデータ）が記憶されており、メッセージ種別データ「交通情報」に対応して、着信音色データとして「ピンポン」という音声デジタル信号、鳴動時間データとして２０秒のデータ、発光時間データとして２０秒のデータ、発光態様データとして長時間断続（ゆっくりした点滅動作を行わせるためのデータ）が記憶されている。
【００３８】
上記優先度テーブルＴ６は、図８に示す情報から構成されている。即ち、同テーブルＴ６は、コード、メッセージ種別データ、メッセージ種別に対応する優先度データ、メッセージ種別に対応する保存期間データからなる。具体的には、メッセージ種別が「避難情報」であれば、優先度データが「１」、保存期間データが「７日」、メッセージ種別が「気象情報」であれば、優先度データは「２」、保存期間データが「７日」、メッセージ種別が「交通情報」であれば、優先度データは「２」、保存期間データが「７日」という情報等が記憶されている。上記優先度は、伝達信号を複数件受信した後の出力時の優先順位、及び履歴情報として再表示する際の優先順位を示しており、伝達情報の出力時はメッセージ種別毎に付された優先度順に出力される。
【００３９】
１９はＲＡＭであり、図９（ａ）に示すように、上記送受信部１４で受信した伝達信号の内容を記憶するものである。記憶する情報は、定型コード（音声コード及び表示コード）に対応するコード並びに地域コード（音声コード及び表示コード）に対応するコードをメッセージ種別情報データ、優先度データ、送信日時データと共に受信データ（図９（ａ））として記憶するものである。尚、このようにして記憶された受信データを受信データテーブルＴ７という。この受信データは、確認スイッチ１２が操作された場合は、優先順位の高い順に出力され、全ての受信データが出力された場合は、同じＲＡＭ１８の他の領域において、図９（ｂ）に示す履歴データとして記憶される。この履歴データは、上記受信データと同様の定型コード（音声コード及び表示コード）に対応するコード並びに地域コード（音声コード及び表示コード）に対応するコード、メッセージ種別情報データ、優先度データ、送信日時データからなるものであり、この履歴データは履歴スイッチ１２、スクロールスイッチ１３の操作により、上記優先順位に従って読み出され、出力されるものである。尚、このようにして記憶された履歴データを履歴データテーブルＴ８という。
【００４０】
また、このようにテーブルをＴ７，Ｔ８と分けることにより、例えば受信データテーブルＴ７のデータ保存件数を最大５０件とし、履歴データテーブルＴ８のデータ保存件数を最大２０件とする等、テーブル毎に最大保存件数を設定することができる。
【００４１】
２０はＣＰＵであり、内臓ＲＯＭ２０ａに記憶されたプログラムに従って図１２、図１３のフローチャートに示す各種情報の出力動作を行うものである。尚、２０ｂは内臓ＲＡＭであり、上記プログラムの実行途中の各種データが一時的に記憶されるものである。Ｔはタイマである。
【００４２】
図１１に示すものは上記ＣＰＵ２０の機能をブロック化した機能ブロック図である。同図において、コード情報検出手段２５は受信した伝達信号中の各種コード情報、優先度情報、発信日時データ等を認識して受信情報記憶手段２７に送出するものである。
【００４３】
メッセージ種別検出手段２６は上記受信した伝達情報中のコード情報に基づいてＲＯＭ１８の音声コードテーブルＴ１を参照し当該伝達情報のメッセージ種別を検出し、当該メッセージ種別を着信動作手段２８と受信情報記憶手段２７に送出するものである。
【００４４】
受信情報記憶手段２７は、上記コード情報検出手段２５で認識した各種コード情報及び各伝達信号毎の優先度データ、メッセージ種別データ、発信日時データをＲＡＭ１９の受信データテーブルＴ７に記憶させるものである。
【００４５】
着信動作手段２８は、上記メッセージ種別検出手段２６からのメッセージ種別データに基づいて、ＲＯＭ１８の着信テーブルＴ５を参照して当該メッセージ種別に対応する着信態様データ（鳴動時間データ、着信音色データ、発光時間データ、発光態様データ）を読み出し、かかる着信態様に基づいてスピーカ９の駆動及びＬＥＤ１０の点滅動作を行うものである。
【００４６】
ラジオ検出手段２９は、着信動作を行う際に、ラジオ部２１が動作中であれば当該ラジオ部２１の動作を停止させる動作を行うものである。
【００４７】
情報出力手段３０は確認スイッチ１１のオンに基づいて、受信データテーブルＴ７に記憶されている受信データの内、優先度の高い順から読み出して各コードに対応する音声デジタルデータ、テキストデータ等をＲＯＭ１８から読み出し、その音声デジタルデータをＡ／Ｄ変換部１６に送出すると共に、伝達情報（地域情報、避難情報等）、発信日時等のテキストデータをＬＣＤコントローラ１７に送出して、伝達情報の音声及び文字による出力動作を行うものである。この情報出力手段３０は上記受信データテーブルＴ７に記憶されている受信データの全てを出力した場合は、履歴情報記憶手段３１に履歴情報を記憶するように指示する。
【００４８】
履歴情報記憶手段３１は、上記指示に基づいて、受信データテーブルＴ７に記憶されていた受信データを履歴データテーブルＴ８に記憶する処理を行う。
【００４９】
上記情報出力手段３０は履歴スイッチ１２又はスクロールスイッチ１３の操作に基づいて、履歴データテーブルＴ８に記憶されている受信データの内、優先度の高い順から読み出して、その各コードに対応する音声デジタルデータ、テキストデータ等をＲＯＭ１８から読み出し、音声デジタルデータをＡ／Ｄ変換部１６に送出すると共に、伝達情報（地域情報、避難情報等）、発信日時等のテキストデータをＬＣＤコントローラ１７に送出して、伝達情報の音声及び文字による出力動作を行うものである。
【００５０】
本発明は上述のように構成されるものであるから、次に、本発明の動作を図１２、図１３のフローチャートに基づいて説明する。
【００５１】
ここでは管理センター４から「津山中央地区」、「家屋等への浸水の恐れがあります」というメッセージを定型フォーマットで送信する場合を説明する。この場合、定型コードの音声コードは「１２、１６」（図３）、表示コードは「１２、１６」（図４）、地域コードの音声コードは「０１」、表示コードは「０１」となるので（図５）、これらのコード及び発信日時データを含む定型フォーマットデータが伝達信号Ｓ１として作成され（図７（ａ））、当該伝達信号がＰＰＰフレームに付加され、パケットとして上記管理センター４からルータ３ｂ，３ａを介して無線パケット通信網２に送られ、さらに当該通信網２から待機状態の情報端末装置１に無線送信される（図１２Ｐ１，Ｐ２）。
【００５２】
上記端末装置１の送受信部１４は内蔵アンテナにて上記パケット信号を受信し、かかる受信データをデータ変換部１５にシリアルデータとして送出する。上記データ変換部１５はかかるシリアルデータをパラレルデータに変換し外部バスＢを介してＣＰＵ２０に送出する。上記ＣＰＵ２０のコード情報検出手段２５は上記データを受けると、伝達信号の受信があったことを認識し（図１２Ｐ２）、当該データに含まれる定型コードと地域コードの音声コードと表示コード並びに発信日時データを認識する（図１２Ｐ３）。即ち、上記コード情報検出手段２５は受信した定型コードの音声コード、表示コードが「１２、１６」、地域コードが「０１」であることを認識する。
【００５３】
次に、ＣＰＵ２０のメッセージ種別検出手段２６は、上記ＲＯＭ１８の音声情報テーブルＴ１（図３）から音声コード「１２」に対応するメッセージ種別が「避難情報」であることを認識すると共に（図１２Ｐ４）、ＣＰＵ２０の受信情報記憶手段２７は上記ＲＯＭ１８の優先度テーブルＴ６から「避難情報」の優先順位が「１」であることを認識し、定型コードの音声コード「１２１６」と表示コード「１２１６」、地域コードの音声コード「０１」と表示コード「０１」、メッセージ種別「避難情報」、「優先度１」及び発信日時をＲＡＭ１８の受信データとして受信データテーブルＴ７に記憶する（図１２Ｐ５、図９（ａ））。
【００５４】
次に、ＣＰＵ２０のラジオ検出手段２９は、ラジオ部２１が動作中か否か確認し（図１２Ｐ６）、動作中であればラジオ部２１をオフ状態とし（図１２Ｐ７）、動作中でなければＣＰＵ２０の着信動作手段２８がメッセージ種別に対応した着信音及び発光の処理を行う（図１２Ｐ８）。即ち、上記着信動作手段２８はＲＯＭ１８の着信テーブルＴ５（図６）から「避難情報」の着信パターンを読み出して着信動作を行う。具体的には、ＲＯＭ１８から「ウォーン・ウォーン」に対応する音声デジタルデータ及び鳴動時間データ（６０秒）を読み出して上記音声デジタルデータをＡ／Ｄ変換部１５に送信する。同時に着信動作手段２８は、上記ＲＯＭ１８からＬＥＤ１０の発光パターンが「短時間断続」、発光時間が６０秒であることを読み出し、上記ＬＥＤ１０を短時間断続パターンで６０秒間点滅させる。
【００５５】
上記Ａ／Ｄ変換部１５は上記音声デジタルデータを音声信号に変換し、増幅した後に当該音声信号をスピーカ７に出力する。その結果スピーカ７から「ウォーン・ウォーン」という最も緊迫感のある警報音が出力される。同時にＬＥＤ１０が短い間隔で点滅する。上記ＣＰＵ２０の着信動作手段２８はタイマＴにより着信動作時間を計測しており、着信音の出力及び発光の開始後、６０秒経過した時点でＡ／Ｄ変換部１６に対し警報音の出力を停止するように指示する。一方、ＣＰＵ２０の着信動作手段２８は、上記ＬＥＤ１０の短い間隔での点滅を停止し、後述の確認スイッチ１１が押されるまでは長い間隔での点滅動作を継続する（図１２Ｐ９，Ｐ１０）。
【００５６】
居住者はこれら着信音声とＬＥＤ１０の発光動作により、「避難情報」を着信したことを確実に認識することができる。着信動作はスピーカ９からの着信音とＬＥＤ１０の発光という２つのパタ−ンを同時に行うので、居住者が視聴覚障害者等の情報弱者であっても確実に避難情報の着信を伝えることができる。
【００５７】
また、音声コードが例えば「０１、０７」であり、メッセージ種別が「気象情報」であった場合は、或は音声コードが例えば「１９、２４」であり、メッセージ種別が「交通情報」であった場合は、ＣＰＵ２０の着信動作手段２８は、同様に着信テーブルＴ５から「気象情報」又は「交通情報」に対する着信パターンを読み出して当該着信パターンでスピーカ９とＬＥＤ１０を駆動する。「気象情報」であれば、着信音色は注意を喚起する「ピーピー」音、ＬＥＤ１０の点滅は長時間断続であり、「交通情報」であれば、着信音色は案内情報的な「ピンポン」であり、ＬＥＤ１０の点滅は長時間断続となる。このように、メッセージ種別によって着信音や発光態様を変えることにより、着信動作のみによって「避難情報」であるのか「気象情報」であるのか或いはその他の情報であるのか判断することができる。
【００５８】
上記着信動作の終了後、居住者が確認スイッチ１１のオン動作を行うと、以下の詳細情報の出力動作に移行するが、居住者が不在等で確認スイッチ１１の操作が行われない場合は、ＣＰＵ２０はステップＰ１に戻って次の伝達情報の受信待機状態となる。このとき、ＬＥＤ１０はゆっくりした点滅動作を行っており、受信メッセージがあることを居住者に伝えることができるように構成している（図１２Ｐ１０）。
【００５９】
そして、かかる待機状態において送受信部１４が新たな伝達信号を受信した場合は、上記ステップＰ３からステップＰ８までの動作が繰り返し行われる。即ち、受信した伝達信号の定型コードの音声コードと表示コードが「０１、０７」、地域コードの音声コードと表示コードが「０３」である場合は、ＣＰＵ２０のコード情報検出手段２５は優先度が「２」であることを認識すると共に、メッセージ種別検出手段２６はＲＯＭ１８を参照してこれらのデータが「気象情報」であることを認識し（図１２Ｐ４、Ｐ５）、受信情報記憶手段２７はこれらの受信データを発信日時データ、優先度データと共にＲＡＭ１９の受信データテーブルＴ７に記憶し（図９（ａ）のＮｏ２参照）、着信動作手段２８は「気象情報」に対応する着信動作（図６のコード「０１」の着信動作）を行う（図１２Ｐ８）。このように居住者が不在等で確認スイッチ１１が直ちに操作されない場合は、受信した伝達信号はＲＡＭ１９内の受信データテーブルＴ７に優先度と共に順次記憶されていく（図９（ａ）Ｎｏ３参照）。よって、居住者が不在であっても、伝達情報は確実に装置１内に記憶されていく。
【００６０】
次に、居住者は、上記着信動作によって情報を着信したことを認識した後、確認スイッチ１１をオンする（図１２Ｐ９）。
【００６１】
すると、ＣＰＵ２０の情報出力手段３０は、まず着信動作中であればそれを停止し（図１２Ｐ１１）、その後ＲＡＭ１９の受信データテーブルＴ７（図９（ａ））から最も優先度の高い受信データ、ここではＮｏ１の「避難情報」の出力動作を行う。即ち、Ｎｏ１の受信データの発信日時テキストデータ（例えば「３月１日  午前１０時１５分」）を読み出してＬＣＤコントローラ１７に送出し、次に、同受信データの地域コードの音声コード、表示コード「０１」に基づいてＲＯＭ１９の地域コードテーブルＴ３，Ｔ４（図５（ａ））を参照し、「０１」に対応する音声デジタルデータ「津山中央地区」を読み出し、Ａ／Ｄ変換部１６に送出すると共に、上記ＲＯＭ１９の地域コードテーブルＴ３，Ｔ４（図５（ｂ））を参照し、「０１」に対応するテキストデータ「津山中央地区」を読み出し、ＬＣＤコントローラ１７に送出する（図１２Ｐ１２）。
【００６２】
さらに、ＣＰＵ２０の情報出力手段３０は、定型コードの音声コード、表示コード「１２、１６」に基づいてＲＯＭ１９の音声コードテーブルＴ１（図３）を参照し、「１２」に対応する音声デジタルデータ「家屋等への浸水」、「１６」に対応する音声デジタルデータ「の恐れがあります」を読み出し、各々のデータをＡ／Ｄ変換部１６に送出すると共に、上記ＲＯＭ１９の文字コードテーブルＴ２（図４）を参照し、「１２」に対応するテキストデータ「家屋等への浸水」、「１６」に対応するテキストデータ「の恐れがあります」を読み出し、ＬＣＤコントローラ１６に送出する（図１２Ｐ１２）。尚、上記ＲＡＭ１９の受信データテーブルＴ７内に優先度の同じ複数のメッセージが存在する場合は、発信日時の早いメッセージから先に出力動作が行われる。
【００６３】
すると、Ａ／Ｄ変換部１６は上記音声デジタルデータをアナログ音声信号に変換し増幅した後スピーカ９に送出する。すると、スピーカ９から「津山中央地区、家屋等への浸水のおそれがあります」という警報メッセージが音声にて出力される（図１２Ｐ１３）。また、同時にＬＣＤコントローラ１７は、液晶表示部８に図１０（ｂ）に示すように、「３月１日午前１０時１５分  津山中央地区  家屋等の浸水のおそれがあります」という文字を表示する（図１２Ｐ１４）。よって、居住者は、確認スイッチ１１を押すことにより、音声及び文字により確実に情報を確認することができる。
【００６４】
次に、ＣＰＵ２０の情報出力手段３０は、上記ＲＡＭ１９の受信データテーブルＴ７（図９（ａ））内のすべてを出力したか否かを検出し（図１２Ｐ１５）、全てを出力していない場合は、図１２のステップＰ８に戻り、確認スイッチ１１がオンされた場合は、上記受信データテーブルＴ７内の次に優先度の高い受信データから上記と同様の出力動作を行う（図１２Ｐ１１〜Ｐ１４）。ＣＰＵ２０の情報出力手段３０は、受信データの全てを出力したことを検出した場合は、履歴情報記憶手段３１に履歴情報の記憶を指示する。上記履歴情報記憶手段３１は上記指示があると上記受信したデータを履歴情報としてＲＡＭ１９の履歴データテーブルＴ８（図９（ｂ））に記憶する（図１２Ｐ１６）。
【００６５】
履歴情報として記憶される内容は、上記受信データ（図９（ａ））と同じ内容であり、定型コードとしての音声コード「１２、１６」、表示コード「１２、１６」、地域コードとしての音声コード「０１」、表示コード「０１」、さらにメッセージ種別「避難情報」、優先度「１」、発信日時が記憶される。このように、出力された受信データは、全てのデータの出力動作が終了した後に、履歴データとしてＲＡＭ１９に記憶される（図９（ｂ）参照）。
【００６６】
その後、ＣＰＵ２０の情報出力手段３０は液晶表示部８を図１０（ａ）の待機画面に戻し（図１２Ｐ１７）、図１２のステップＰ８でラジオ部２１をオフしたのであれば、ラジオ検出手段２９がラジオ部２１をオンし（図１２Ｐ１８，Ｐ１９）、そうでなければその状態のまま電源スイッチがオフされたか否かを検出し（図１２Ｐ２０）、電源スイッチがオフされない場合は、ステップＰ１の待機状態に戻る。電源がオフされた場合は、処理を終了する。
【００６７】
次に、履歴データを確認する動作を説明する（図１３参照）。
【００６８】
上述のように全ての受信データを出力した場合は、全ての受信データは履歴データとしてＲＡＭ１９の履歴データテーブルＴ８に記憶されている。よって、居住者が過去の受信データを確認したい場合は、履歴スイッチ１２を押せばよい。
【００６９】
装置１の待機状態から居住者が履歴スイッチ１２を押すと（図１３Ｐ１，Ｐ２）、ＣＰＵ２０の情報出力手段３０は上記ＲＡＭ１８の履歴情報（図９（ｂ））の内、優先度の最も高いデータから優先度順に出力動作を行う（図１３Ｐ３）。尚、優先度の同じデータが存在する場合は、発信日時の早いデータから優先的に出力動作を行う。
【００７０】
ＣＰＵ２０の情報出力手段３０は、上記履歴スイッチ１２のオンに基づいて、ＲＡＭ１９の履歴データテーブル８内の履歴情報の内、最も優先順の高いＮｏ１の「避難情報」の受信情報を読み出して出力動作を行う。即ち、上記「避難情報」の地域コードの音声コード及び表示コード「０１」に対応する「津山中央地区」の音声デジタルデータ及びテキストデータをＲＯＭ１８の地域コードテーブルＴ３，Ｔ４から読み出し、同時に定型コードの音声コード及び表示コード「１２、１６」に対応する「家屋等への浸水のおそれがあります」の音声デジタルデータ及びテキストデータをＲＯＭ１８の音声コードテーブルＴ１、文字コードテーブルＴ２から読み出し、音声デジタルデータはＡ／Ｄ変換部１６に送出し、発信日時データを含むテキストデータはＬＣＤコントローラ１７に送出する（図１３Ｐ３）。
【００７１】
すると、スピーカ９から「津山中央地区  家屋等の浸水の恐れがあります」との音声が出力されると共に、液晶表示部６に「３月１日午前１０時１５分  津山中央地区  家屋等の浸水のおそれがあります」との文字が表示される（図１０（ｂ）図１３Ｐ４，Ｐ５）。
【００７２】
その後、居住者がスクロールスイッチ１３を押すと（図１３Ｐ６）、上記ＣＰＵ２０の情報出力手段３０は上記ＲＡＭ１９に記憶されている履歴情報の内、次に優先度の高い情報（Ｎｏ２の「気象情報」「０１０７」、地域コードの「０１」を読み出し、上記と同様に音声デジタルデータ及びテキストデータをＡ／Ｄ変換部１５及びＬＣＤコントローラ１７に送出する（図１３Ｐ３〜Ｐ５）。すると、スピーカから「大雨注意報がでました」との音声が出力されると共に、液晶表示部に「○月○日午後○時○分  △△△△地区  大雨注意報がでました」との文字情報が表示される。よって、居住者は過去の受信情報を確実に知ることができる。
【００７３】
このようにＣＰＵ２０の情報出力手段３０はスクロールスイッチ１３が押される度に、優先順位の高い順に順次ＲＡＭ１９内の受信データを読み出して、当該データを音声及び文字で出力することができる。よって、居住者は過去に受信したデータを繰り返し確認することができる。
【００７４】
その後、居住者が確認スイッチ１１を押すと（図１３Ｐ７）、ＣＰＵ２０の情報出力手段３０はこれを検出し、ＬＣＤコントローラ１７を介して液晶表示部８を待機画面に戻し、新たな伝達信号の受信待機状態に設定する（図１３Ｐ８、Ｐ９）。
【００７５】
以上のように本発明によると、伝達情報の着信があった際、音と光で着信動作が行われるので、情報弱者等に対して確実に着信を伝達することができ、さらに居住者等がそれを確認して確認スイッチ１１をオンしたことにより、音声情報及び文字情報を出力するものであるから、緊急な情報等を確実に居住者に伝達できる。
【００７６】
また、着信パターンによって着信した情報が例えば「気象情報」なのか「避難情報」なのかをある程度知ることができ、より効果的に情報を伝達することができる。
また、受信した伝達情報を優先度と共に記憶しているので、情報出力動作時に例えば優先度の高い順に出力する等のより効果的、効率的な情報出力動作を行うことができる。
【００７７】
また、例えば避難情報等の緊急性の高いメッセージ種別について高い優先度を設定しておくことにより、より緊急性の高い情報を効果的に伝達することができる。
【００７８】
また、一旦情報出力動作の終了した伝達情報も履歴情報として優先度と共に記憶することができ、過去の伝達情報をも優先度順に効果的に確認することができる。
【００７９】
尚、図２に示すようにＣＰＵ２０にマイクを設け、居住者から入力された音声に基づいて音声ファイルを作成し、当該ファイルを送受信部１４から管理センター４に向けて送信することにより、双方向の送信（連絡）を行うように構成することもできる。
【産業上の利用可能性】
【００８０】
このように本発明によれば、音と光により着信動作が行われるため、情報弱者等においても確実に情報の着信を伝達することができるし、着信動作後の確認スイッチ１１のオンによって伝達情報の具体的内容を音声と文字で表示するように構成しているので、特に独居老人等の情報弱者向けの情報端末装置として広く用いることができる。
【００８１】
また、受信した複数の伝達情報は受信データメモリに記憶され、記憶された伝達情報を優先度の高い順に出力することができるため、非常に効率的に情報を出力することができるし、一旦情報出力の終了した過去の伝達情報も履歴情報として記憶することができ、記憶された履歴情報（伝達情報）を優先度の高い順に出力することができるため、例えば緊急性の少ない生活に必要な各種情報の伝達装置としても非常に有効に使用することができ、情報弱者向けに限らず、一般の情報端末装置としても適用可能である。
【図面の簡単な説明】
【００８２】
【図１】本発明に係る情報端末装置が用いられるネットワーク構成を示す図である。
【図２】同上端末装置のブロック図である。
【図３】同上端末装置の音声コードテーブルを示す図である。
【図４】同上端末装置の表示コードテーブルを示す図である。
【図５】（ａ）は同上端末装置の地域コードの音声コードテーブル、（ｂ）は同上端末装置の地域コードの表示コードテーブルを示す図である。
【図６】同上端末装置の着信テーブルを示す図である。
【図７】（ａ）は同上端末装置の伝達信号の定型フォーマットを示す図、（ｂ）は伝達信号の非定型フォーマットを示す図である。
【図８】同上端末装置の優先度テーブルを示す図である。
【図９】（ａ）は同上装置の受信データテーブルを示す図、（ｂ）は同上装置の履歴データテーブルを示す図である。
【図１０】（ａ）は同上装置の待機状態の液晶表示部を示す図、（ｂ）は同上装置の伝達情報表示状態の液晶表示部を示す図である。
【図１１】同上端末装置のＣＰＵの機能ブロック図である。
【図１２】同上端末装置の動作手順を示すフローチャートである。
【図１３】同上端末装置の動作手順を示すフローチャートである。
【符号の説明】
【００８３】
１          情報端末装置
４          管理センター
８          液晶表示部
９          スピーカ
１０        ＬＥＤ
１１        確認スイッチ
１２        履歴スイッチ
１３        スクロールスイッチ
１４        送受信部
１８        ＲＯＭ
１９        ＲＡＭ
２５        コード情報検出手段
２６        メッセージ種別検出手段
２７        受信情報記憶手段
２８        着信動作手段
３０        情報出力手段
Ｔ１        音声コードテーブル
Ｔ２        文字コードテーブル
Ｔ３、Ｔ４  地域コードテーブル
Ｔ５        着信コードテーブル
Ｔ６        優先度テーブル
Ｔ７        受信データテーブル
Ｔ８        履歴データテーブル
【図１】
2008250798.tif 000003
【図２】
2008250798.tif 000004
【図３】
2008250798.tif 000005
【図４】
2008250798.tif 000006
【図５】
2008250798.tif 000007
【図６】
2008250798.tif 000008
【図７】
2008250798.tif 000009
【図８】
2008250798.tif 000010
【図９】
2008250798.tif 000011
【図１０】
2008250798.tif 000012
【図１１】
2008250798.tif 000013
【図１２】
2008250798.tif 000014
【図１３】
2008250798.tif 000015